(57)【要約】【課題】施工性のよいネットワーク対応の熱源機通信装置を提供する。【解決手段】熱源機１と、熱源機通信手段２と、熱源機１の各種運転を制御するリモコン３と、通信ネットワーク７、８を介して熱源機１の状態を遠隔で監視・制御する通信アダプタ４を備え、前記リモコン３と前記通信アダプタ４は共通の２芯通信線６で前記熱源機通信手段２に接続することで、通信アダプタ用の専用線が不要となり、施工性の良いネットワーク対応の熱源機通信装置を供給することができる。【選択図】図１
2005147574.tif 000002
【特許請求の範囲】
【請求項１】
熱源機と、熱源機通信手段と、熱源機の各種運転を制御するリモコンと、通信ネットワークを介して熱源機の状態を遠隔で監視・制御する通信アダプタを備え、前記リモコンと前記通信アダプタは共通の２芯通信線で前記熱源機通信手段に接続された通信装置。
【請求項２】
前記通信アダプタの電源は前記２芯通信線を介して熱源機から供給される請求項１記載の通信装置。
【請求項３】
前記リモコンは通信アダプタからの送信と熱源機通信手段からの送信をアドレスデータで判定し、通信アダプタからの送信は無視してＮＡＫ応答を行わないアドレス判定機能を備えた請求項１記載の通信装置。
【請求項４】
前記リモコンは受信データをデータ種別で判定し、熱源機と通信アダプタ間でのみ有効なデータは無視してＮＡＫ応答を行わないデータ種判定機能を備えた請求項１記載の通信装置。
【請求項５】
前記通信アダプタはリモコンからの送信と熱源機通信手段からの送信をアドレスデータで判定し、リモコンからの送信は無視してＮＡＫ応答を行わないアドレス判定機能を備えた請求項１記載の通信装置。
【請求項６】
前記通信アダプタは受信データをデータ種別で判定し、熱源機とリモコン間でのみ有効なデータは無視してＮＡＫ応答を行わないデータ種判定機能を備えた請求項１記載の通信装置。
【発明の詳細な説明】
【技術分野】
【０００１】
本発明は、通信ネットワークを介して熱源機の状態を遠隔で監視・制御する通信装置に関するものである。
【背景技術】
【０００２】
従来、この種の通信ネットワークではインターネットや電話回線といった専用線で管理用サーバーと接続し通信を行っている（例えば、特許文献１参照）。
【０００３】
また、サーバーと熱源機の間には電気的な信号変換のため通信アダプタが設置されている場合もあった。
【特許文献１】特開平１１−２１１２３０号公報
【発明の開示】
【発明が解決しようとする課題】
【０００４】
しかしながら前記従来の構成では、熱源機と通信アダプタとの通信線を熱源機用リモコンとは別に設置工事する必要があり、施工が繁雑になっていた。
【０００５】
本発明は、前記従来の課題を解決するもので、施工性のよいネットワーク対応の熱源機通信装置を提供することを目的とする。
【課題を解決するための手段】
【０００６】
前記従来の課題を解決するために、熱源機用リモコンと熱源機の間の２芯通信線上にネットワーク用の通信アダプタを接続可能とし、通信アダプタ用の専用通信線工事を不要とするものである。
【０００７】
これによって通信アダプタ用の専用線が施工不要となり、施工性の良いネットワーク対応の熱源機通信装置を提供することができる。
【０００８】
また、本発明の通信装置は熱源機からの２芯通信線を介して通信アダプタの電源を供給する構成とし、通信アダプタの電源工事も不要にすることが可能である。
【発明の効果】
【０００９】
本発明の通信装置は、熱源機と通信アダプタをつなぐの専用通信線工事を不要とし、省施工で低コストの通信装置を提供することができる。
【発明を実施するための最良の形態】
【００１０】
第１の発明は、熱源機と、熱源機通信手段と、熱源機の各種運転を制御するリモコンと、通信ネットワークを介して熱源機の状態を遠隔で監視・制御する通信アダプタを備え、リモコンと通信アダプタは共通の２芯通信線で前記熱源機通信手段に接続することにより、通信アダプタ用の専用線が施工不要となり、施工性の良いネットワーク対応の通信装置を供給することができる。
【００１１】
第２の発明は、第１の発明の通信アダプタの電源を２芯通信線を介して熱源機から供給することにより、通信アダプタの電源工事も不要となり、施工性の良いネットワーク対応の通信装置を供給することができる。
【００１２】
第３の発明は、第１または第２の発明のリモコンにおいて、通信アダプタからの送信と熱源機通信手段からの送信をアドレスデータで判定し、通信アダプタからの送信は無視してＮＡＫ応答を行わないことにより、熱源機とリモコンのみのシステムと全く同じ条件で熱源機制御及び熱源機状態表示が可能となり、省施工で信頼性の高い通信システムを構築することができる。
【００１３】
第４の発明は、第１または第２の発明のリモコンにおいて、受信データをデータ種別で判定し、熱源機と通信アダプタ間でのみ有効なデータは無視してＮＡＫ応答を行わないことにより、熱源機とリモコンのみのシステムと全く同じ条件で熱源機制御及び熱源機状態表示が可能となり、省施工で信頼性の高い通信システムを構築することができる。
【００１４】
第５の発明は、第１または第２の発明の通信アダプタにおいて、リモコンからの送信と熱源機通信手段からの送信をアドレスデータで判定し、リモコンからの送信は無視してＮＡＫ応答を行わないことにより、リモコンの種類やリモコンでの運転オン、オフ、給湯温度変更等の操作に全く影響されることなく通信ネットワークから熱源機を監視、制御できるため信頼性の高い通信システムが実現できる。
【００１５】
第６の発明は、第１または第２の発明の通信アダプタにおいて、受信データをデータ種別で判定し、熱源機とリモコン間でのみ有効なデータは無視してＮＡＫ応答を行わないことにより、リモコンの表示情報や運転制御情報に全く影響されることなく通信ネットワークから熱源機を監視、制御できるため信頼性の高い通信システムが実現できる。
【００１６】
以下、本発明の実施の形態について、図面を参照しながら説明する。なお、この実施も形態によって本発明が限定されるものではない。
【００１７】
（実施の形態１）
図１は、本発明の第１の実施の形態におけるシステム図を示すものである。
【００１８】
図１において１は熱源機、２は熱源機通信手段であり、リモコン３と通信アダプタ４は２芯通信線６を介して熱源機通信手段２と接続され、それぞれ送受信を行っている。
【００１９】
また、通信アダプタ４はイーサネット（Ｒ）等のネットワーク通信線７でネットワークサーバー８と接続されている。
【００２０】
熱源機を遠隔操作する場合は、ネットワークサーバー８からネットワーク通信線７を経由して通信アダプタ４へ制御信号が入り、通信アダプタ４では制御信号の電気的変換を行った後、２芯通信線６を介して熱源機通信手段２へ制御信号を送信する。２芯通信線６では一方を基準電位としもう一方に基準電位からの電位差でシリアルＯＮ，ＯＦＦ信号を生成して通信する。
【００２１】
以上のように本実施の形態においてはリモコン３と通信アダプタ４とを同一の通信線上に設置しそれぞれが熱源機と通信を行うことにより、通信アダプタ４用の専用線が施工不要となり、施工性の良いネットワーク対応の通信装置を供給することができる。
【００２２】
（実施の形態２）
図１において、５は熱源機１に内蔵された通信アダプタ５用電源であり、２芯通信線上に電源を供給する。このような構成により、通信アダプタの電源工事も不要となり、施工性の良いネットワーク対応の通信装置を供給することができる。
【００２３】
（実施の形態３）
図２は本発明の第３の実施の形態における通信データの構成図である。
【００２４】
リモコン３、熱源機１、通信アダプタ４にはそれぞれアドレスが付与されており、リモコン＝０、熱源機＝Ｆ、通信アダプタ＝Ｄとなっている。
【００２５】
通信データは先頭にデータの送信元アドレス（ＳＡ）、次にデータの受信先アドレス（ＤＡ）、次にデータの種類を示すコード（ＰＦＣ）、次にデータ内容そのもの（データ）、最後に通信データのブロックチェックコード（ＢＣＣ）から構成されている。
【００２６】
図３は本発明の第３、第４の実施の形態における通信データの流れ図であり、アドレス判定機能及びデータ種別判定機能の動作を示す。
【００２７】
熱源機１は送信元アドレス（ＳＡ）＝熱源機（Ｆ）のデータを送信すると（ｓ１）、リモコンはデータを受信してＡＣＫを応答する（ｓ２）。
【００２８】
しかし、通信アダプタ４が送信元アドレス（ＳＡ）＝通信アダプタ（Ｄ）のデータを送信すると（ｓ３）、リモコンはＡＣＫもＮＡＫも返さず熱源機のみがＡＣＫを応答する（ｓ４）。
【００２９】
以上のように本実施の形態においては、通信アダプタ４が２芯信号線上に存在しても、熱源機とリモコンのみのシステムと全く同じ条件で熱源機制御及び熱源機状態表示が可能となり、省施工で信頼性の高い通信システムを構築することができる。
【００３０】
（実施の形態４）
図３において熱源機１はデータ種別（ＰＦＣ）＝０のデータを送信すると（ｓ５）、リモコン３及び通信アダプタ４はどちらも必要なデータと認識してデータを受信してＡＣＫを応答する（ｓ６、ｓ７）。
【００３１】
しかし、熱源機１がデータ種別（ＰＦＣ）＝４のデータを送信すると（ｓ８）、リモコン３は必要なデータと認識しないためＡＣＫもＮＡＫも返さず、通信アダプタ４のみがＡＣＫを応答する（ｓ９）。
【００３２】
以上のように本実施の形態において、リモコンは受信データをデータ種別で判定し、熱源機と通信アダプタ間でのみ有効なデータは無視してＮＡＫ応答を行わないことにより、熱源機とリモコンのみのシステムと全く同じ条件で熱源機制御及び熱源機状態表示が可能となり、省施工で信頼性の高い通信システムを構築することができる。
【００３３】
（実施の形態５）
図４は本発明の第５、第６の実施の形態における通信データの流れ図であり、アドレス判定機能及びデータ種別判定機能の動作を示す。
【００３４】
熱源機１は送信元アドレス（ＳＡ）＝熱源機（Ｆ）のデータを送信すると（ｓ１０）、通信アダプタ４はデータを受信してＡＣＫを応答する（ｓ１１）。
【００３５】
しかし、リモコン３が送信元アドレス（ＳＡ）＝リモコン（０）のデータを送信すると（ｓ１２）、通信アダプタ４はＡＣＫもＮＡＫも返さず熱源機のみがＡＣＫを応答する（ｓ１３）。
【００３６】
以上のように本実施の形態においては、通信アダプタはリモコンからの送信と熱源機通信手段からの送信をアドレスデータで判定し、リモコンからの送信は無視してＮＡＫ応答を行わないことにより、リモコンの種類やリモコンでの運転オン、オフ、給湯温度変更等の操作に全く影響されることなく通信ネットワークから熱源機を監視、制御できるため信頼性の高い通信システムが実現できる。
【００３７】
（実施の形態６）
図４において熱源機１はデータ種別（ＰＦＣ）＝０のデータを送信すると（ｓ１４）、リモコン３及び通信アダプタ４はどちらも必要なデータと認識してデータを受信してＡＣＫを応答する（ｓ１５、ｓ１６）。
【００３８】
しかし、熱源機１がデータ種別（ＰＦＣ）＝７のデータを送信すると（ｓ１７）、通信アダプタ４は必要なデータと認識しないためＡＣＫもＮＡＫも返さず、リモコン３のみがＡＣＫを応答する（ｓ１８）。
【００３９】
以上のように本実施の形態において、通信アダプタは受信データをデータ種別で判定し、熱源機とリモコン間でのみ有効なデータは無視してＮＡＫ応答を行わないことにより、リモコンの表示情報や運転制御情報に全く影響されることなく通信ネットワークから熱源機を監視、制御できるため信頼性の高い通信システムが実現できる。
【産業上の利用可能性】
【００４０】
以上のように本発明にかかる通信装置は、ネットワーク用通信アダプタを熱源機の通信線上に設置することが可能となるので、浴室暖房機や床暖房等、外部端末機器と熱源機が通信を行うシステムに通信アダプタを追加する場合にも適用できる。
【図面の簡単な説明】
【００４１】
【図１】本発明の実施の形態１、２における通信装置のシステム図
【図２】本発明の実施の形態３における通信データ構成図
【図３】本発明の実施の形態３、４における通信データの流れ図
【図４】本発明の実施の形態５、６における通信データの流れ図
【符号の説明】
【００４２】
１  熱源機
２  熱源機通信手段
３  リモコン
４  通信アダプタ
６  ２芯通信線
７  ネットワーク通信線（通信ネットワーク）
８  ネットワークサーバー（通信ネットワーク）
【図１】
2005147574.tif 000003
【図２】
2005147574.tif 000004
【図３】
2005147574.tif 000005
【図４】
2005147574.tif 000006